(57)【特許請求の範囲】
【請求項１】
一端に一方の型枠固定部を設けた軸棒と、他端に他方の型枠固定部を設けたアンカーブラケットとが、該アンカーブラケットの接合部で相互に接合され、前記接合部に軸棒とアンカーブラケットとを熱伝導的に隔絶して接合する断熱部が配設されて成るセパレータ構造において、
前記断熱部が、横向き凸状の金属製ナットと、該ナットが埋め込まれる合成樹脂製で漏斗状のケースと、該ケースに埋め込まれたナットを封入する合成樹脂製のキャップとから成り、該ナットをネジ孔のみ開口して合成樹脂に包蔵したことを特徴とするセパレータ構造。
【発明の詳細な説明】
【技術分野】
【０００１】
本発明は、コンクリート打設時の型枠支持に使用され、打設されたコンクリート層内に残置されて型枠解体後の鉄筋コンクリート構造体の躯体の内外壁面に、それぞれ内装材、外断熱体を接合できるセパレータ構造に関する。
【背景技術】
【０００２】
鉄筋コンクリート構造体の構築に使用する両型枠を支持固定するとともに、型枠解体後に鉄筋コンクリート構造体の躯体の外壁面へ取り付ける断熱材等の外断熱体の取着を、その自由度を広範に、かつ、工期を短縮できるセパレータ構造は、特開２００７−２３５３６号公報（特許文献１）に提案されているが、鉄筋コンクリート構造体に埋め殺しされる軸棒とアンカーブラケットとの接合が直接螺合によるものであるため、外部の熱がアンカーブラケットを通して軸棒に伝導され、内装面に結露などの悪影響を及ぼすおそれがある。
【特許文献１】特開２００７−２３５３６号公報
【発明の開示】
【発明が解決しようとする課題】
【０００３】
本発明は、鉄筋コンクリート構造体に埋め殺しされるセパレータ構造において、型枠保持に多数個使用され埋め殺しされたセパレータ構造の熱伝導によるコンクリート躯体の断熱効果の低下を防止するとともに、外壁面からの熱伝導を内壁面に遮断できるセパレータ構造を提供する。
【課題を解決するための手段】
【０００４】
本発明の請求項１に記載したセパレータ構造は、一端に一方の型枠固定部を設けた軸棒と、他端に他方の型枠固定部を設けたアンカーブラケットとが、該アンカーブラケットの接合部で相互に接合され、前記接合部に軸棒とアンカーブラケットとを熱伝導的に隔絶して接合する断熱部が配設されて成るセパレータ構造において、
前記断熱部が、横向き凸状の金属製ナットと、該ナットが埋め込まれる合成樹脂製で漏斗状のケースと、該ケースに埋め込まれたナットを封入する合成樹脂製のキャップとから成る。
【発明の効果】
【０００５】
本発明のセパレータ構造では、軸棒とアンカーブラケットとが断熱部で断熱状に接合され、外部の熱変動がアンカーブラケットから軸棒に伝導されることがないから、室内での結露の発生が解消される上、室温の変動が抑えられて冷暖房の効率が良くなり、コンクリート躯体の断熱効果も低下させない効果がある。
【発明を実施するための最良の形態】
【０００６】
本発明における断熱部は、金属製のナットを合成樹脂製のケースとキャップで包蔵することにより、アンカーブラケットと軸棒とを断熱状に接合するものから、金属製のナットに代えて、ナット自体をエンプラ（エンジニアリングプラスチック）やスーパーエンプラ（スーパーエンジニアリングプラスチック）などの合成樹脂による成形品の使用も考えられる。また、軸棒とアンカーブラケットに負荷される張力は、軸棒に螺合されるナットの外郭に馴染む直角状の段差部で抗されるものから、テーパ状の段差部で抗されるなどである。
【実施例】
【０００７】
本発明のセパレータ構造Ａを実施例により説明すると、その構成は図１に示すように、左端部のナット１と、ナット１を左端部で螺着する長尺ネジ部２aと、右端部の短尺ネジ部２bと、長尺ネジ部２aと短尺ネジ部２bの間で軸部の外面に凹設した回り止め用の二面幅部２cとを有する軸棒２と、横向き截頭円錐体で大径側を前記短尺ネジ部２bに向けたアンカーブラケット３と、アンカーブラケット３を貫通する中空部４に収納される合成樹脂製の横向き漏斗状で小径側を軸棒２の方向へ向けたケース５と、ケース５に収蔵される横向き凸状の金属製のナット６と、ナット６をケース５に封入するキャップ７と、前記中空部４に螺着され右端にフランジ８aを周設した押さえ軸８と、押さえ軸８に内設される取付金具９とから成る。アンカーブラケット３の中空部４には右端から螺設される雌ネジ部４aと、雌ネジ部４aの左方で雌ネジの内径より僅かに小径の収納室４bと、収納室４bの直径より小径で直角状の段差部４cを形成して左端へ開口される窓部４dとが形成され、押さえ軸８の左方には前記雌ネジ部４aに螺着される雄ネジ８bが形成され、右端のフランジ８aには右端から所要深さで所要径の横向きの凹部８cが内設され、凹部８cの中心から左端へ雌ネジ８dが貫設され、取付金具９は長手方向の中間に押さえ軸８のフランジ８aの凹部８cに嵌着する小フランジ９aと、小フランジ９aより左方で雌ネジ８dに螺合する大ネジ軸９bと、小フランジ９aより右方に突設する止めネジ軸９c（大ネジ軸９bより小径）とから成り、小フランジ９aには回転用の長円形状の抜き穴９dが対向して貫設される。
図２に示すように、一方の型枠固定部１０は、軸棒２の長尺ネジ部２aと長尺ネジ部２aに螺合するナット１で形成され、他方の型枠固定部１１は押さえ軸８のフランジ８aと、フランジ８aの凹部８cに小フランジ９aを嵌着しつつ雌ネジ８dにその大ネジ軸９bが螺着される取付金具９の止めネジ軸９cとから成り、断熱部１２はケース５と、ケース５に収蔵されその左端にネジ孔６aを開口するナット６と、横向き凸状で突出部７aをネジ孔６aに嵌着し盤体部７bをケース５の内周に嵌着するキャップ７とから成るものである。
【０００８】
このようにして成るセパレータ構造Ａは図２に示すように、軸棒２の左方の長尺ネジ部２aにナット１が螺着されて一方の型枠固定部１０が形成される。軸棒２の右方の短尺ネジ部２bはアンカーブラケット３に収められる断熱部１２のナット６に螺着される。この断熱部１２はアンカーブラケット３の雌ネジ部４aに螺着された押さえ軸８の雄ネジ８bの軸端で位置決め固定され、押さえ軸８の雌ネジ８dには小フランジ９aの抜き穴９dによって回転締結される大ネジ軸９bが螺着され、遂には押さえ軸８のフランジ８aの凹部８cに小フランジ９aが嵌着され、振れ止め状に取付金具９が接合され、押さえ軸８のフランジ８aと取付金具９の止めネジ軸９cによって他方の型枠固定部１２が形成される。
【０００９】
したがって、本発明のセパレータ構造Ａは、図３に示すように、一方の型枠固定部１０のナット１に位置決めされた左方の型枠１３の所要の各所に長尺ネジ部２aが挿通され、他方の型枠固定部１１のフランジ８aに位置決めされた右方の型枠１４の所要の各所に止めネジ軸９cが挿通され、それぞれの型枠１３、１４の外方から長尺ネジ部２aと止めネジ軸９cに螺着される軸状ナット１５によって各型枠１３、１４が位置決めされるとともに、各型枠１３、１４の外面に沿わせて配設した縦パイプや横パイプなどの押さえ金１６をフォームタイ（登録商標）１７で押さえ、軸状ナット１５のネジ軸１５aに螺合したナット１８で締め付け固定される。
このようにして両型枠１３、１４がセパレータ構造Ａで位置決め固定され、適宜な鉄筋（図外）の配筋状態でコンクリートが打設される。このとき、セパレータ構造Ａに負荷される張力は、軸棒２と一体の断熱部１２がアンカーブラケット３の段差部４cで保持される。
セパレータ構造Ａが埋め殺し状態でコンクリートが打設された鉄筋コンクリート構造体１９は図４に示すように、両側の型枠１３、１４が解体され、一方の軸棒２の長尺ネジ部２aには内装材（図外）が接合され、他方の取付金具９の止めネジ軸９cには断熱材や外装材等の外断熱体（図外）は挿通され適宜なナットで接合される。
【００１０】
このほか、鉄筋コンクリート構造体１９の躯体の外壁面に外断熱体（図外）を接合する手段としては、取付金具９に代えて図５に示すように、押さえ軸８の凹部８cに嵌着する円形の嵌着部２０aを一端に設けてその嵌着部２０aの内端から凸状で先細り状の回転放物面を有する金具本体２０bと、その右端に突設する止めネジ軸２０cと、止めネジ軸２０cに嵌着される座金２０dと、金具本体２０bの嵌着部２０aの左端より突設されて前記押さえ軸８の雌ネジ８dに螺合する大ネジ軸２０eとから成る取付金具２０が用いられる。この取付金具２０には金具本体２０bの回転放物面の一部に対向して切欠き二面幅部２０fが形成されてスパナで回転できるようになっている。
したがって、この取付金具２０は層の厚い外断熱体を取り付けできる上、金具本体２０bの嵌着部２０aによって押さえ軸８のフランジ８aの凹部８cに確実な振れ止め状態で嵌着接合されるとともに、回転放物面が形成される断面によって大なる曲げ強度で外断熱体を保持できる。外断熱体は座金２０dを介して止めネジ軸２０cに螺合するナットで締め付け固定される。なお、この場合も外部から伝導される熱負荷は断熱部１２で遮断される。
このように、外断熱体の仕様に対応して取付金具９、２０を選択できるから、各種の外断熱体の接合に即応できる上、外部からの熱負荷を断熱部１２で遮断できるから、利用の自由度を広範にして省エネルギー効果を呈するものである。
【産業上の利用可能性】
【００１１】
本発明のセパレータ構造は、鉄筋コンクリート構造体に埋め殺し状態で各種の外断熱体に対応できる上、外部からの熱負荷を断熱部で遮断できるから軸棒を介して室内側へ伝導することがなく、室内環境が安定することと省エネルギー効果を呈することで需要は大いに期待される。
【図面の簡単な説明】
【００１２】
【図１】本発明に係わるセパレータ構造Ａの分解状態の説明図。
【図２】セパレータ構造Ａの要部を縦断した組立て説明図。
【図３】セパレータ構造Ａによる型枠組立ての説明図。
【図４】型枠解体後の鉄筋コンクリート構造体１９の一部を示す説明図。
【図５】セパレータ構造Ａの押さえ軸８に他の取付金具２０を螺設した状態の鉄筋コンクリート構造体１９の一部を示す説明図。
【符号の説明】
【００１３】
１：ナット
２：軸棒
２a：長尺ネジ部
２b：短尺ネジ部
２c：二面幅部
３：アンカーブラケット
４：中空部
４a：雌ネジ部
４b：収納室
４c：段差部
４d：窓部
５：ケース
６：ナット
６a：ネジ孔
７：キャップ
７a：突出部
７b：盤体部
８：押さえ軸
８a：フランジ
８b：雄ネジ
８c：凹部
８d：雌ネジ
９：取付金具
９a：小フランジ
９b：大ネジ軸
９c：止めネジ軸
９d：抜き穴
１０、１１：型枠固定部
１２：断熱部
１３、１４：型枠
１５：軸状ナット
１５a：ネジ軸
１６：押さえ金
１７：フォームタイ
１８：ナット
１９：鉄筋コンクリート構造体
２０：取付金具
２０a：嵌着部
２０b：金具本体
２０c：止めネジ軸
２０d：座金
２０e：大ネジ軸
２０f：切欠き二面幅部
Ａ：セパレータ構造
【図１】
0004764444.tif 000002
【図２】
0004764444.tif 000003
【図３】
0004764444.tif 000004
【図４】
0004764444.tif 000005
【図５】
0004764444.tif 000006